(57)【要約】【課題】簡易かつ確実にコードを介した決済を可能とする料金決済システムを提供する。【解決手段】料金決済システムは、複数の空間Ｘを時間貸しする店舗側に設けられた店舗側端末１と、空間Ｘを時間借りする利用者側に設けられた利用者端末２と、該店舗側端末１に接続され、空間Ｘの利用状況から決済を行う決済管理装置３と、空間Ｘにおいて決済用のＱＲコード（登録商標）を表示するコード表示部４を備える。【選択図】図１
2020113146.tif 000002
【特許請求の範囲】
【請求項１】
空間を時間貸しする店舗側に設けられた店舗側端末と、該空間を時間借りする利用者側に設けられた利用者端末と、該店舗側端末に接続され、該空間の利用状況から決済を行う決済管理装置とを備える料金決済システムにおいて、
前記決済管理装置により、
前記利用者の前記空間の利用を認識する空間利用認識工程と、
前記空間利用認識工程により前記利用者の前記空間の利用が認識された場合に、該空間の利用代金決済するコードを生成するコード生成工程と、
前記コード生成工程により生成された前記コードを前記空間内のコード表示部に表示するコード表示工程と
が実行され、
前記利用者端末により、
前記コード表示工程により前記空間内の前記コード表示部に表示されたコードを読み込むコード読み込み工程と、
前記コード読み込み工程により読み込まれコードが有効か否かを前記管理装置に問い合わせるコード有効判定工程と、
前記コード有効判定工程によりコードが有効である場合に、前記決済管理装置から取得される決済金額を案内する決済画面を表示する決済画面表示工程と、
前記決済画面表示工程により表示された前記決済画面により決済を実行する決済実行工程と
が実行されることを特徴とする料金決済システム。
【請求項２】
請求項１記載の料金決済システムにおいて、
前記決済管理装置により、
前記空間利用認識工程において前記利用者の前記空間の利用の終了が認識された場合、または、前記コード読み込み工程においてコードの読み込みがあった場合に、前記コード生成工程により生成されたコードを無効化するコード無効化工程と、前記コード表示工程により前記コード表示部に表示されたコードの表示を削除するコード削除工程とが実行されることを特徴とする料金決済システム。
【発明の詳細な説明】
【技術分野】
【０００１】
本発明の料金決済システムは、空間を時間貸しする店舗側に設けられた店舗側端末と、該空間を時間借りする利用者側に設けられた利用者端末と、該店舗側端末に接続され、該空間の利用状況から決済を行う決済管理装置とを備える料金決済システムである。
【背景技術】
【０００２】
従来、この種の代金決済システムとしては、下記特許文献１に示すように、
利用者がカード決済によって取引を行う際に、店舗側に表示するＱＲコード（登録商標）を生成して店舗側に表示させる。そして、店舗側に表示されたＱＲコード（登録商標）が利用者端末装置により読み取られることによって決済が実行される。
【先行技術文献】
【特許文献】
【０００３】
【特許文献１】特開２０１２−２１６１５５号公報
【発明の概要】
【発明が解決しようとする課題】
【０００４】
かかる従来の代金決済システムによれば、クレジットカードや当該クレジットカードの情報を読み取る専用端末を用いることなく、店頭でオンライン決済を行うことが可能となるが、カード決済の度毎にＱＲコード（登録商標）を生成することになり、決済までに時間と手間を要することになる。
【０００５】
一方で、予め固定されたＱＲコード（登録商標）を店舗側に設けた場合には、複製などが容易に可能となりセキュリティ上の問題がある。
【０００６】
以上の事情に鑑みて、本発明は、簡易かつ確実にコードを介した決済を可能とする料金決済システムを提供すること目的とする。
【課題を解決するための手段】
【０００７】
第１発明の料金決済システムは、
空間を時間貸しする店舗側に設けられた店舗側端末と、該空間を時間借りする利用者側に設けられた利用者端末と、該店舗側端末に接続され、該空間の利用状況から決済を行う決済管理装置とを備える料金決済システムにおいて、
前記決済管理装置により、
前記利用者の前記空間の利用を認識する空間利用認識工程と、
前記空間利用認識工程により前記利用者の前記空間の利用が認識された場合に、該空間の利用代金決済するコードを生成するコード生成工程と、
前記コード生成工程により生成された前記コードを前記空間内のコード表示部に表示するコード表示工程と
が実行され、
前記利用者端末により、
前記コード表示工程により前記空間内の前記コード表示部に表示されたコードを読み込むコード読み込み工程と、
前記コード読み込み工程により読み込まれコードが有効か否かを前記管理装置に問い合わせるコード有効判定工程と、
前記コード有効判定工程によりコードが有効である場合に、前記決済管理装置から取得される決済金額を案内する決済画面を表示する決済画面表示工程と、
前記決済画面表示工程により表示された前記決済画面により決済を実行する決済実行工程と
が実行されることを特徴とする。
【０００８】
第１発明の料金決済システムによれば、空間利用認識工程により利用者の空間の利用が認識された場合に、該空間の利用代金決済するコードが生成される。そのため、予め空間の利用によりコードが生成されているため、カード決済の度毎にコードを生成することがなく、決済までに時間と手間を要することもない。
【０００９】
一方で、コードは、空間利用認識工程により空間の利用毎に生成されるため、固定されたコードを設ける場合のように、複製などのセキュリティ上の問題が生じることもない。
【００１０】
このように、第１発明の料金決済システムによれば、簡易かつ確実にコードを介した決済が可能となる。
【００１１】
第２発明の料金決済システムは、第１発明において、
前記決済管理装置により、
前記空間利用認識工程において前記利用者の前記空間の利用の終了が認識された場合、または、前記コード読み込み工程においてコードの読み込みがあった場合に、前記コード生成工程により生成されたコードを無効化するコード無効化工程と、前記コード表示工程により前記コード表示部に表示されたコードの表示を削除するコード削除工程とが実行されることを特徴とする。
【００１２】
第２発明の料金決済システムによれば、生成されたコードは、利用者の空間の利用の終了が認識された場合、または、コードの読み込みがあった場合に、無効化され、コード表示部に表示されたコードが削除される。そのため、コードが複製されて持ち出されることを回避することができる。
【００１３】
このように、第２発明の料金決済システムによれば、簡易かつより確実にコードを介した決済が可能となる。
【図面の簡単な説明】
【００１４】
【図１】本実施形態の料金決済システムの概要を示すシステム構成図。
【図２】図１の料金決済システムにおける処理内容を示すフローチャート。
【図３】図１の料金決済システムにおける処理内容の変更例を示すフローチャート。
【図４】図３の処理内容の変更例を示すフローチャート。
【発明を実施するための形態】
【００１５】
図１に示すように、本実施形態の料金決済システムは、複数の空間Ｘを時間貸しする店舗側に設けられた店舗側端末１と、空間Ｘを時間借りする利用者側に設けられた利用者端末２と、該店舗側端末１に接続され、空間Ｘの利用状況から決済を行う決済管理装置３と、空間Ｘにおいて決済用のＱＲコード（登録商標）を表示するコード表示部４を備える。
【００１６】
ここで、空間Ｘとしては、例えば、ホテルの客室、飲食店の個室や座席、興行における客席のほか、美容院や英会話教室などにおける予約等など、予約により一定の空間を一定時間占有するものをすべて包含する概念である。
【００１７】
まず、店舗側端末１は、例えば、ＰＯＳ端末であり、少なくとも各空間の利用代金を管理する装置であって、各空間Ｘの決済管理装置３との間で、利用代金の情報の授受を行う。
【００１８】
次に、利用者端末２は、例えば、ホテルなどの客室である空間を利用するユーザのスマートフォンやタブレット等のユーザ端末であって、少なくともインターネット等のネットワークに接続可能なものである。
【００１９】
次に、決済管理装置３は、各空間のコンピュータやテレビやタブレットなどのインタフェースであって、少なくともタッチパネルまたはキーボード／テンキーなどの入力手段を備え、ＬＡＮに接続可能な端末である。
【００２０】
決済管理装置３は、主に、決済用ＱＲコード（登録商標）の生成およびその管理と、店舗側端末１から取得した空間Ｘの料金情報に基づく決済処理とをネットワーク通信により利用者端末２との間で行う。
【００２１】
より具体的には、決済管理装置３は、店舗側端末１から取得した料金情報に基づいて料金画面を生成し、これをネットワーク通信により利用者端末２に表示する。
【００２２】
また、決済管理装置３は、必要に応じて、各空間Ｘの状態（例えば、ホテルの客室の場合には『在室』，『空室』，『清掃』，『予約』等の状態）を管理する管理コンピュータとしての機能を有することが望ましい。
【００２３】
決済管理装置３は、ネットワークを介して、クレジットカード会社などの決済実行者サーバ５に接続され、決済実行者サーバ５により生成された決済画面（クレジットカード情報を入力）を利用者端末２に中継すると共に、決済実行者サーバ５による決済結果を利用者端末２に通知する。
【００２４】
なお、決済管理装置３と店舗側端末１と決済実行者サーバ５とは、その一部または全部が一体に構成されてもよい。
【００２５】
コード表示部４は、例えばＱＲコード（登録商標）などのコードを表示する表示装置であって、コード表示のみを目的とする専用表示装置であってもよく、多目的表示装置であるディスプレイ４´であってもよい。
【００２６】
なお、本実施形態では、ＱＲコード（登録商標）を例に説明するが、コード表示部４に表示されるコードは、コード決済に対応したものであればＱＲコード（登録商標）に限定されるものではなく、バーコードなどの他のコードであってもよい。
【００２７】
以上が本実施形態の料金決済システムである。なお、以上の構成において、利用代金決済システムの店舗側端末１、利用者端末２、決済管理装置３、決済実行者サーバ５は、それぞれ例えば、ＣＰＵ（Central Processing Unit）、ＲＯＭ（Read Only memory）、ＲＡＭ（Random Access Memory）等のハードウェアにより構成され、後述する各種処理を実行するプログラムをメモリ（不図示）に記憶保持し、そのプログラムを実行することにより、各種処理を実行するための演算装置（シーケンサ）として機能する。
【００２８】
次に、図２および図３を参照して、以上のように構成された料金決済システムの処理内容について説明する。
【００２９】
初めに、図２を参照して、決済管理装置３により実行されるＱＲコード（登録商標）の生成および表示処理内容を説明する。
【００３０】
まず、決済管理装置３により、空間Ｘへの利用開始（例えば、ホテルの客室の場合には入室）が認識されると（図２／ＳＴＥＰ１１でＹＥＳ、本発明の空間利用認識工程に相当する）、ＱＲコード（登録商標）が生成される（図２／ＳＴＥＰ１２、本発明のコード生成工程に相当する）。
【００３１】
一方、決済管理装置３により、空間Ｘへの利用開始（例えば、ホテルの客室の場合には入室）が認識されるまでは（図２／ＳＴＥＰ１１でＮＯ、本発明の空間利用認識工程に相当する）、このチェック処理を一定の処理周期で繰り返し実行する。
【００３２】
ＳＴＥＰ１２で、ＱＲコード（登録商標）が生成されると、決済管理装置３は、生成したＱＲコード（登録商標）を利用開始した空間Ｘのコード表示部４に表示させる（図２／ＳＴＥＰ１３、本発明のコード表示工程に相当する）。
【００３３】
次いで、決済管理装置３により、空間Ｘへの利用終了（例えば、ホテルの客室の場合には退室）が認識されると（図２／ＳＴＥＰ１４でＹＥＳ、本発明の空間利用認識工程に相当する）、ＳＴＥＰ１２で生成したＱＲコード（登録商標）を無効化し（図２／ＳＴＥＰ１５、本発明のコード無効化工程に相当する）、ＳＴＥＰ１３でコード表示部４に表示したＱＲコード（登録商標）を削除する（図２／ＳＴＥＰ１６、本発明のコード削除工程に相当する）。
【００３４】
このように、利用者の空間Ｘの利用の終了が認識された場合に、そのＱＲコード（登録商標）が無効化され、コード表示部に表示されたＱＲコード（登録商標）が削除されることで、コードが複製されて持ち出されることを回避することができる。
【００３５】
一方、決済管理装置３により、空間Ｘへの利用終了（例えば、ホテルの客室の場合には退室）が認識されるまでは（図２／ＳＴＥＰ１４でＮＯ、本発明の空間利用認識工程に相当する）、このチェック処理を一定の処理周期で繰り返し実行する。
【００３６】
以上が、決済管理装置３により実行されるＱＲコード（登録商標）の生成および表示処理内容である。
【００３７】
次に、図３を参照して、利用者端末２と決済管理装置３とによる決済処理内容を説明する。
【００３８】
まず、当該空間Ｘの利用の決済に際して、利用者が利用者端末２を操作することにより、コード表示部４に表示されたＱＲコード（登録商標）が利用者端末２に読み込まれる（図３／ＳＴＥＰ２１、本発明のコード読み込み工程に相当する）。
【００３９】
これにより、利用者端末２がＱＲコード（登録商標）に埋め込まれた決済用ＵＲＬにアクセスされ、決済管理装置３との間で決済処理が開始される。
【００４０】
このとき、同時に、決済管理装置３では、当該ＱＲコード（登録商標）が無効化され（本発明のコード無効化工程に相当する）、コード表示部４に表示していたＱＲコード（登録商標）を削除する処理が実行される（本発明のコード削除工程に相当する）。
【００４１】
このように、ＱＲコード（登録商標）の読み込みがあった場合に、そのＱＲコード（登録商標）が無効化され、コード表示部に表示されたＱＲコード（登録商標）が削除されることで、コードが複製されて持ち出されることを回避することができる。
【００４２】
なお、この場合には、決済管理装置３により、ＱＲコード（登録商標）が再生成され、再生成されたＱＲコード（登録商標）が空間Ｘのコード表示部４に表示される。
【００４３】
そして、決済管理装置３において当該ＱＲコード（登録商標）が有効であれば（図３／ＳＴＥＰ２２でＹＥＳ、本発明のコード有効判定工程に相当する）、決済管理装置３は、店舗側端末１から当該空間Ｘの利用代金（金額）を取得し、取得した利用代金を決済実行者サーバ５に送信する。そして、決済管理装置３は、決済実行者サーバ５により生成された決済画面（クレジットカード情報を入力）を利用者端末２に中継して、利用者端末２の画面に表示させる（図３／ＳＴＥＰ２３、本発明の決済画面表示工程に相当する）。
【００４４】
次に、利用者端末２に表示された決済画面に従って、利用者が決済処理を実行し（本発明の決済実行工程に相当する）、決済実行者サーバ５との間で決済が成功すれば（図３／ＳＴＥＰ２４でＹＥＳ）、決済管理装置３は決済成功通知を利用者端末２に送信する（図３／ＳＴＥＰ２５）。
【００４５】
これにより、空間Ｘの利用代金の支払いが完了したことを以って、空間Ｘの利用が終了される（例えば、ホテルの客室の場合には退室に必要な処理（出入り口の解錠、車庫のシャッターのオープンなど）が実行される）。
【００４６】
一方、決済実行者サーバ５との間で決済が成功しない場合（図３／ＳＴＥＰ２４でＮＯ）、決済管理装置３は決済失敗通知を利用者端末２に送信する（図３／ＳＴＥＰ２６）。
【００４７】
この場合には、決済管理装置３により、ＱＲコード（登録商標）が再生成され、再生成されたＱＲコード（登録商標）が空間Ｘのコード表示部４に表示される。
【００４８】
以上が、決済管理装置３により実行されるＱＲコード（登録商標）の生成および表示処理内容である。
【００４９】
以上説明したように、本実施形態の料金決済システムによれば、利用者の空間Ｘの利用が認識された場合に、該空間Ｘの利用代金決済するＱＲコード（登録商標）が生成される。そのため、予め空間Ｘの利用によりコードが生成されているため、カード決済の度毎にＱＲコード（登録商標）を生成することがなく、決済までに時間と手間を要することもない。一方で、ＱＲコード（登録商標）は、空間Ｘの利用毎に生成されるため、固定されたコードを設ける場合のように、複製などのセキュリティ上の問題が生じることもない。
【００５０】
このように、本実施形態の料金決済システムによれば、簡易かつ確実にコードを介した決済が可能となる。
【００５１】
なお、本実施形態においては、決済管理装置３は、ＱＲコード（登録商標）として、決済用ＵＲＬのほか、店舗ＩＤや客室（テーブル）ＩＤ等を識別するコードが埋め込まれるものを生成する場合について説明したが、これに限定されるものではなく、決済用のＵＲＬのみを生成してもよい。
【００５２】
この場合には、利用者端末２から決済用のＵＲＬにアクセスがなされた後（ＳＴＥＰ２１〜２２）、空間Ｘ毎に付与されたＩＤ（例えば、ホテルの客室の場合には各ホテルの客室毎に付与されたＩＤ）を入力する入力画面が表示される。ここでのＩＤは、固定された静的なＩＤであっても、利用毎または一定時間で更新される動的なＩＤであってもよい。
【００５３】
そして、利用者がＩＤ入力画面に従ってＩＤを入力することで、決済管理装置３は、店舗側端末１から当該空間Ｘの利用代金（金額）を取得し、取得した利用代金を決済実行者サーバ５に送信する。そして、決済管理装置３は、決済実行者サーバ５により生成された決済画面（クレジットカード情報を入力）を利用者端末２に中継して、利用者端末２の画面に表示させる（ＳＴＥＰ２３）。
【００５４】
なお、本実施形態において、図３に示した利用者端末２と決済管理装置３とによる決済処理は、図４に示すように変更されてよい。
【００５５】
図４は、会員サイトを利用した利用者端末２と決済管理装置３とによる決済処理である。なお、図３と同一の処理については、同一のＳＴＥＰ番号を付して、その説明を省略する。
【００５６】
図４において、決済管理装置３において当該ＱＲコード（登録商標）が有効であれば（図４／ＳＴＥＰ２２でＹＥＳ、本発明のコード有効判定工程に相当する）、決済管理装置３は、（決済画面表示に代えて）会員用画面を利用者端末２に表示する（図４／ＳＴＥＰ３３）。
【００５７】
次に、利用者端末２に表示された会員用画面に従って、利用者がログイン処理を実行し、決済管理装置３との間でログインが成功すれば（図４／ＳＴＥＰ３４でＹＥＳ）、決済管理装置３はログイン成功通知を利用者端末２に送信し（図４／ＳＴＥＰ３５）、その会員サイトにおいて会員システムの決済処理（例えば、クレジットカードによる決済のほか、電子マネーやポイントによる清算、本発明の決済画面表示工程および決済実行工程に相当する）が実行される。
【００５８】
一方、決済管理装置３との間でログインが成功しない場合（図４／ＳＴＥＰ３４でＮＯ）、決済管理装置３はログイン失敗通知を利用者端末２に送信する（図４／ＳＴＥＰ３６）。この場合には、（図３と同様に）決済管理装置３により、ＱＲコード（登録商標）が再生成され、再生成されたＱＲコード（登録商標）が空間Ｘのコード表示部４に表示される。
【００５９】
以上が、会員サイトを利用した利用者端末２と決済管理装置３とによる決済処理である。
【００６０】
なお、上述の各実施形態において、ＱＲコード（登録商標）は、空間Ｘの利用毎に生成され（図２／ＳＴＥＰ１１，１２）、その有効性が判定されるが（図３／ＳＴＥＰ２２，図４／ＳＴＥＰ２２）、これに加えてまたは代えて、生成されたＱＲコード（登録商標）に時間制限を設けて、制限時間内のみ有効としてもよい。これにより、複製防止をより確実に担保することが可能となる。
【符号の説明】
【００６１】
１…店舗側端末、２…利用者端末、３…決済管理装置、４，４´…コード表示部、５…決済実行者サーバ、Ｘ…空間。
【図１】
2020113146.tif 000003
【図２】
2020113146.tif 000004
【図３】
2020113146.tif 000005
【図４】
2020113146.tif 000006
【手続補正書】
【提出日】令和1年8月30日(2019.8.30)
【手続補正１】
【補正対象書類名】特許請求の範囲
【補正対象項目名】全文
【補正方法】変更
【補正の内容】
【特許請求の範囲】
【請求項１】
空間を時間貸しする店舗側に設けられた店舗側端末と、該空間を時間借りする利用者側に設けられた利用者端末と、該店舗側端末に接続され、該空間の利用状況から決済を行う決済管理装置とを備える料金決済システムにおいて、
前記決済管理装置により、
前記利用者の前記空間の利用を認識する空間利用認識工程と、
前記空間利用認識工程により前記利用者の前記空間の利用が認識された場合に、該空間の利用代金決済するための少なくとも決済用ＵＲＬを含むコードを生成するコード生成工程と、
前記コード生成工程により生成された前記コードを前記空間内のコード表示部に表示するコード表示工程と
が実行され、
前記利用者端末により、
前記コード表示工程により前記空間内の前記コード表示部に表示されたコードを読み込むことにより前記決済用ＵＲＬへのアクセスを行うコード読み込み工程と、
前記コード読み込み工程により読み込まれコードが有効か否かを前記管理装置に問い合わせるコード有効判定工程と、
前記コード有効判定工程によりコードが有効である場合に、前記決済管理装置から取得される決済金額を案内する決済画面を表示する決済画面表示工程と、
前記決済画面表示工程により表示された前記決済画面により決済を実行する決済実行工程と
が実行され、
前記決済管理装置により、
前記空間利用認識工程において前記利用者の前記空間の利用の終了が認識された場合は、前記コード生成工程により生成されたコードを無効化するコード無効化工程と、前記コード表示工程により前記コード表示部に表示されたコードの表示を削除するコード削除工程とが実行された後コードが再生成されない一方、前記コード読み込み工程におけるコードの読み込みにより前記利用者端末との間の決済処理が開始された場合は、前記コード生成工程により生成されたコードを無効化するコード無効化工程と、前記コード表示工程により前記コード表示部に表示されたコードの表示を削除するコード削除工程とが実行された後、前記決済画面表示工程により表示された前記決済画面により決済が成功しないときにコードが再生成されることを特徴とする料金決済システム。
【手続補正２】
【補正対象書類名】明細書
【補正対象項目名】０００７
【補正方法】変更
【補正の内容】
【０００７】
第１発明の料金決済システムは、
空間を時間貸しする店舗側に設けられた店舗側端末と、該空間を時間借りする利用者側に設けられた利用者端末と、該店舗側端末に接続され、該空間の利用状況から決済を行う決済管理装置とを備える料金決済システムにおいて、
前記決済管理装置により、
前記利用者の前記空間の利用を認識する空間利用認識工程と、
前記空間利用認識工程により前記利用者の前記空間の利用が認識された場合に、該空間の利用代金決済するための少なくとも決済用ＵＲＬを含むコードを生成するコード生成工程と、
前記コード生成工程により生成された前記コードを前記空間内のコード表示部に表示するコード表示工程と
が実行され、
前記利用者端末により、
前記コード表示工程により前記空間内の前記コード表示部に表示されたコードを読み込むことにより前記決済用ＵＲＬへのアクセスを行うコード読み込み工程と、
前記コード読み込み工程により読み込まれコードが有効か否かを前記管理装置に問い合わせるコード有効判定工程と、
前記コード有効判定工程によりコードが有効である場合に、前記決済管理装置から取得される決済金額を案内する決済画面を表示する決済画面表示工程と、
前記決済画面表示工程により表示された前記決済画面により決済を実行する決済実行工程と
が実行され、
前記決済管理装置により、
前記空間利用認識工程において前記利用者の前記空間の利用の終了が認識された場合は、前記コード生成工程により生成されたコードを無効化するコード無効化工程と、前記コード表示工程により前記コード表示部に表示されたコードの表示を削除するコード削除工程とが実行された後コードが再生成されない一方、前記コード読み込み工程におけるコードの読み込みにより前記利用者端末との間の決済処理が開始された場合は、前記コード生成工程により生成されたコードを無効化するコード無効化工程と、前記コード表示工程により前記コード表示部に表示されたコードの表示を削除するコード削除工程とが実行された後、前記決済画面表示工程により表示された前記決済画面により決済が成功しないときにコードが再生成されることを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
さらに、第１発明の料金決済システムによれば、生成されたコードは、利用者の空間の利用の終了が認識された場合、または、コードの読み込みがあった場合に、無効化され、コード表示部に表示されたコードが削除される。そのため、コードが複製されて持ち出されることを回避することができる。
【手続補正５】
【補正対象書類名】明細書
【補正対象項目名】００１３
【補正方法】変更
【補正の内容】
【００１３】
このように、第１発明の料金決済システムによれば、簡易かつより確実にコードを介した決済が可能となる。